(57)【要約】【課題】例えば、衛生的な医療機器を提供する。【解決手段】例えば、穿刺痛緩和装置（１０）等の医療機器は、吸熱面（１００１）と放熱面（１００２）とを有するペルチェ素子（１００）と、前記放熱面に熱的接触状態を保って配置された潜熱蓄熱剤（１６）と、前記吸熱面又は前記吸熱面の少なくとも一部を覆う熱伝導性部材（１８）が冷却部として露出した状態で前記ペルチェ素子及び前記潜熱蓄熱剤を収納する筐体（１１Ｆ，１１Ｒ）とを備え、前記冷却部を覆うカバー（ＤＣ１）を取り付け可能に構成される。【選択図】図２
2015142606.tif 000002
【特許請求の範囲】
【請求項１】
吸熱面と放熱面とを有するペルチェ素子と、
前記放熱面に熱的接触状態を保って配置された潜熱蓄熱剤と、
前記吸熱面又は前記吸熱面の少なくとも一部を覆う熱伝導性部材が冷却部として露出した状態で前記ペルチェ素子及び前記潜熱蓄熱剤を収納する筐体と
を備え、
前記冷却部を覆うカバーを取り付け可能に構成される
ことを特徴とする医療機器。
【請求項２】
前記カバーを固定するための固定用治具を備える
ことを特徴とする請求項１に記載の医療機器。
【請求項３】
前記固定用治具は、前記筐体における、前記冷却部と反対側の面に設けられる
ことを特徴とする請求項２に記載の医療機器。
【請求項４】
前記筐体は、使用者により把持される把持部を含み、前記冷却部を包む部分が前記把持部よりも太く構成されている
ことを特徴とする請求項１に記載の医療機器。
【請求項５】
前記筐体は所定規格に準じた密閉構造を有する
ことを特徴とする請求項１から４のいずれか一項に記載の医療機器。
【請求項６】
前記筐体は断熱材料で構成される
ことを特徴とする請求項１から５のいずれか一項に記載の医療機器。
【発明の詳細な説明】
【技術分野】
【０００１】
本発明は、例えば穿刺針を打ち込む際等に生じる穿刺痛を緩和可能な医療機器の技術分野に関する。
【背景技術】
【０００２】
当該技術分野において、人工透析時の穿刺痛を緩和する穿刺痛緩和装置が提案されている（特許文献１参照）。
【０００３】
特許文献１に開示された穿刺痛緩和装置によれば、穿刺針を打ち込む部位にペルチェ素子によって摂氏３度から７度に冷却された押圧体を接触させることによって、皮膚の表面温度を摂氏２２度から２８度に冷却することができるとされる。
【先行技術文献】
【特許文献】
【０００４】
【特許文献１】特開２０１０−２８４３３０号公報
【発明の概要】
【発明が解決しようとする課題】
【０００５】
特許文献１に開示された穿刺痛緩和装置は、ペルチェ素子が吸収した熱を冷却用のファンの駆動により放熱部から放熱する構成となっている。ファンの駆動には吸気口と排気口が必要となる。
【０００６】
ここで、医療機器は、多くの場合、消毒、滅菌を必要とするが、このように装置外部に吸気口及び排気口を形成せざるを得ない構成においては、消毒及び滅菌作業が困難である。また、吸気口及び排気口が形成されていると、使用者（例えば、医療従事者）又は使用対象者（例えば、患者）の体液等が、この吸気口又は排気口から装置内部に侵入する可能性もあり、医療機器として衛生的でない。
【０００７】
一方、このような、消毒滅菌を含む衛生面への配慮から、医療機器では多くの場合、ディスポーザブルカバー（即ち、所謂使い捨てカバー）の使用が推奨される。この種のカバーを取り付けて使用することができれば、医療機器そのものに対する消毒滅菌作業が必ずしも必要ではなくなり、また、医療機器への体液の付着、侵入等にも憂慮する必要がないからである。
【０００８】
しかしながら、吸気口及び排気口を含む各種通気口筐体に形成される場合、通気口がこの種のカバーにより塞がれることのないように配慮する必要がある。即ち、医療機器に対しカバーを使用するにせよ、少なくとも通気口はカバーにより保護されることがない。従って、結局は、医療機器に対して衛生面での十分な配慮を施すことが困難である。
【０００９】
また、通気口を医療行為の直接の対象部位であるペルチェ素子から遠ざけることによって、通気口の衛生度を幾らかなり向上させることは不可能ではない。しかしながら、このよう通気口の形成を前提とした対処措置は、上記衛生面での問題を抜本的に解決するものではない。更に、この場合、通気口の形成に関する制約が多くなり、例えば、放熱効率の低下、機器体格の増大、機器の使い勝手の低下等、二次的な問題が顕在化する。
【００１０】
即ち、特許文献１に開示された穿刺痛緩和装置には、消毒滅菌作業、とりわけ液体を用いた消毒滅菌作業が困難であり、飛散する体液に対する保護も十分でないことから、衛生的でないという技術的問題点がある。
【００１１】
本発明は、例えば係る技術的問題点に鑑みてなされたものであり、例えば、衛生的な医療機器を提供することを少なくとも課題の一つとする。
【課題を解決するための手段】
【００１２】
上述した課題を解決するため、請求項１の医療用機器は、吸熱面と放熱面とを有するペルチェ素子と、前記放熱面に熱的接触状態を保って配置された潜熱蓄熱剤と、前記吸熱面又は前記吸熱面の少なくとも一部を覆う熱伝導性部材が冷却部として露出した状態で前記ペルチェ素子及び前記潜熱蓄熱剤を収納する筐体とを備え、前記冷却部を覆うカバーを取り付け可能に構成されることを特徴とする。
【図面の簡単な説明】
【００１３】
【図１】本発明の第１実施例に係る穿刺痛緩和装置の模式的平面図である。
【図２】図１の穿刺痛緩和装置の模式的な側面断面図である。
【図３】図１の穿刺痛緩和装置の動作モードの概念図である。
【図４】図１の穿刺痛緩和装置に対するカバーの取り付け態様を説明する図である。
【図５】本発明の第２実施例に係るカバーの取り付け態様を説明する図である。
【発明を実施するための形態】
【００１４】
＜医療機器の実施形態＞
【００１５】
本発明の医療機器に係る実施形態は、吸熱面と放熱面とを有するペルチェ素子と、前記放熱面に熱的接触状態を保って配置された潜熱蓄熱剤と、前記吸熱面又は前記吸熱面の少なくとも一部を覆う熱伝導性部材が冷却部として露出した状態で前記ペルチェ素子及び前記潜熱蓄熱剤を収納する筐体とを備え、前記冷却部を覆うカバーを取り付け可能に構成される（請求項１）。
【００１６】
医療機器の実施形態において、ペルチェ素子は、吸熱面と放熱面とを有する。ペルチェ素子は、素子への通電時に一方の面が吸熱面に、他方の面が放熱面となる。また、通電極性を反転させれば、上記一方の面は放熱面に、上記他方の面は吸熱面になる。医療機器の実施形態に係るペルチェ素子は、例えば、然るべき通電手段或いは制御手段により、筐体から露出する面又は熱伝導性部材に覆われる面が吸熱面となる通電極性で通電がなされたペルチェ素子である。
【００１７】
吸熱面は、例えば、医療機器の使用対象者（例えば、患者）の使用対象部位（例えば、皮膚）に直接的又は間接的に押圧される。吸熱面が、その少なくとも一部において、使用対象部位に直接的に押圧される場合には、この吸熱面の少なくとも一部は冷却部として機能する。また、吸熱面の少なくとも一部が熱伝導性部材に覆われ、この熱伝導性部材のみが使用対象部位に押圧される場合、吸熱面は間接的に使用対象者に押圧され、この使用対象部位に押圧される熱伝導性部材が冷却部として機能する。無論、吸熱面と熱伝導性部材との両者が夫々冷却部の一部として機能する構成となっていてもよい。冷却部が使用対象部位に押圧された結果、ペルチェ素子の吸熱面が有する吸熱作用により、当該使用対象部位は熱を奪われ、冷却される。
【００１８】
一方、使用対象部位から奪われた熱は、ペルチェ素子の放熱面から放熱され、放熱面に熱的接触状態を保って配置された潜熱蓄熱剤に供給される。ここで、「熱的接触状態を保って配置される」とは、好適な一形態として放熱面と潜熱蓄熱剤とが全面的な或いは部分的な面接触状態にあることを意味するが、必ずしもこの種の物理的な接触状態のみを意味しない。即ち、放熱面から放熱される熱の大部分（例えば、放熱量の所定割合（例えば、８０％程度）以上に相当する熱）が受熱され得る両者の位置関係は、全て「熱的接触状態を保って配置」された状態に含まれる趣旨である。潜熱蓄熱剤は、供給熱を潜熱として蓄積することができるため、放熱面からの放熱を受けても、非熱飽和状態において潜熱蓄熱剤の温度変化は所定範囲に維持される。また、理想的には、潜熱蓄熱剤の温度は変化しない。
【００１９】
即ち、医療機器の実施形態によれば、潜熱蓄熱剤が非熱飽和状態にある期間において、例えば医療行為の一環として使用対象者の使用対象部位から奪った熱を外界に放出する必要が生じない。必然的に、医療機器の実施形態では、ペルチェ素子及び潜熱蓄熱剤を収容する筐体に、外界との熱のやり取りに関連する通気口、例えば、上述した排気口や吸気口を設ける必要がなく、実際にこの種の通気口が形成されない。従って、医療機器の実施形態には、冷却部を覆うカバーを取り付けることができる。
【００２０】
尚、実施形態に係るカバーは、医療機器の実施形態を医療行為において使用することを前提として、冷却部を使用対象者の使用対象部位との直接的な接触から保護することを目的としており、理想的には、一使用毎に交換される、所謂ディスポーザブルカバーを意味する。
【００２１】
ここで、「冷却部を覆うカバーを取り付け可能である」とは、取り付けが物理的に可能であるか否かではなく、カバーを取り付けた状態で機器本来の正常な使用状態を継続し得るか否か、及び、上述したディスポーザブルカバーの使用を前提として、カバーの構成が簡素であるか否か、カバーが安価に実現され得るか否か、カバーの交換が容易であるか否か等を含む複合的観点から定義される。
【００２２】
即ち、筐体に通気口を備えた構成では、機器運用上、正常使用時において、通気口を外界から遮蔽することが許されない。一方、ペルチェ素子の性質上、放熱面と吸熱面とは表裏一体であるから、例えばファン等の冷却装置によって放熱面周辺を冷却しようとすれば、少なくとも排気口は必然的に冷却部の近傍に配置せざるを得ない。これらの事情を勘案すると、冷却部を被覆しつつ通気口を外界から遮蔽しないようにカバーを取り付けることは、実践上極めて困難となる。
【００２３】
また、カバーの形状、材質、被覆方法により、このような状態を実現することができたとしても、カバーの取り付けが簡便でない、カバーの構造上の自由度が低い、等の問題が確実に顕在化する。ましてや、この種のカバーをディスポーザブルに使用することは実践上不可能に近い。即ち、端的には、筐体に通気口を備える装置構成は「冷却部を覆うカバーを取り付け可能である」構成に該当しない。
【００２４】
これに対し、筐体に通気口が一切形成されていない、医療機器の実施形態では、冷却部をカバーで被覆した際に機器の正常使用が阻害されない。また、最低限の要請として、使用対象者と直接的に接触する冷却部を覆うことができればよいから、カバーの構成が簡素で済む。カバーの構成が簡素であるから、カバーの取り付け及び交換が容易である。更に、カバーの構造上の自由度が高くなるから、安価なカバーを使用することが可能となるのである。
【００２５】
以上説明したように、本発明の医療機器に係る実施形態によれば、カバーの取り付けが可能である。従って、医療機器そのものに対する消毒滅菌作業が必ずしも必要ではなく、また、使用対象者等の体液の機器への付着又は機器内部への侵入を未然に防ぐことが可能となる。即ち、機器の衛生的な使用を効率的に実現することができるのである。
【００２６】
医療機器に係る実施形態の一の態様では、前記カバーを固定するための固定用治具を備える（請求項２）。
【００２７】
この態様によれば、カバーを固定する固定用治具が備わる。従って、カバーの脱着が比較的容易となり、医療機器の実施形態を効率的に使用することが可能となる。
【００２８】
尚、固定用治具は筐体の一部として形成されていてもよいし、筐体に付設される形で備わっていてもよい。また、固定用治具に係るカバーの固定方法は、如何様にも限定されない。
【００２９】
尚、この態様では、前記固定用治具は、前記筐体における、前記冷却部と反対側の面に設けられる（請求項３）。
【００３０】
カバーにより覆う必要性が最も高い部分は、使用対象者と直接接触する冷却部である。従って、固定用治具は、カバーの取り付けを好適に支援する本来の目的に加えて、望ましくは、使用対象者に接触する可能性が低い箇所に形成されるのがよい。このように冷却部の反対側の面に固定用治具が設けられる場合、これらの両立が比較的容易にして可能となる。
【００３１】
医療機器に係る実施形態の他の態様では、前記筐体は、使用者により把持される把持部を含み、前記冷却部を包む部分が前記把持部よりも太く構成されている（請求項４）。
【００３２】
筐体における冷却部を包む部分が把持部よりも太い場合、冷却部を覆うカバーを装着した状態において、これらの境界部分等においてカバーが自然に係止される。このため、特別な治具を設けずとも、カバーを円滑に使用することができる。
【００３３】
医療機器に係る実施形態の他の態様では、前記筐体は所定規格に準じた密閉構造を有する（請求項５）。
【００３４】
この態様によれば、医療機器の筐体が、例えば、ＪＩＳ等の所定規格に準じた密閉構造を有する。このため、滅菌消毒等のメンテナンスが容易となり、また衛生的である。尚、このような密閉構造は、ペルチェ素子が放熱面から放出した熱を潜熱蓄熱体により吸収する、医療機器の実施形態に特有の構造があって始めて実現することができるものである。
【００３５】
医療機器に係る実施形態の他の態様では、前記筐体は断熱材料で構成される（請求項６）。
【００３６】
この態様によれば、筐体が断熱材料により構成されるため、例えば、潜熱蓄熱剤が熱飽和状態に陥る等して温度が上昇したとしても、筐体の温度変化を抑制することができる。
【００３７】
本発明のこのような作用及び他の利得は、これ以降に説明する実施例により明らかにされる。
【実施例】
【００３８】
＜１．第１実施例＞
以下、適宜図面を参照し、本発明を実現するにあたって好適な第１実施例として、穿刺痛緩和装置１０について説明する。穿刺痛緩和装置１０は、例えば注射等の各種医療行為における患者の穿刺痛を緩和する手持ち使用可能な、本発明に係る「医療機器」の一例たる医療機器である。
【００３９】
＜実施例の構成＞
始めに、図１を参照し、穿刺痛緩和装置１０の構成について説明する。ここに、図１は、穿刺痛緩和装置１０の模式的な平面図である。図１において、図１（ａ）は正面図であり、図１（ｂ）は背面図である。
【００４０】
図１（ａ）において、穿刺痛緩和装置１０の外郭の一部をなす正面側ケース１１Ｆには、略矩形状の二つの孔が形成されている。この孔のうち、装置上側（図中上側）の一方の孔からは操作部５００の一部が露出しており、装置下側（図中下側）の他方の孔からは発光部６００の一部が露出している。これら二つの孔と、操作部５００及び発光部６００の各露出部分とは、後述する密閉構造に準拠した気密を保って接合しており、穿刺痛緩和装置１０の内部がこれらの孔を介して外界と連通しない構成となっている。
【００４１】
操作部５００は、穿刺痛緩和装置１０を操作するためのボタンスイッチであり、吸熱ボタン５１０と電源ボタン５２０とを備える。
【００４２】
吸熱ボタン５１０は、穿刺痛緩和装置１０の後述する動作モードの一つである第１動作モード（吸熱モード）の発動を促すボタンスイッチである。電源ボタン５２０は、穿刺痛緩和装置１０の電源投入用のボタンスイッチである。尚、操作部５００の構成は一例であり、穿刺痛緩和装置１０の使用者に対し各種機能操作を促す操作手段の構成は、如何なるものであってもよい。
【００４３】
発光部６００は、穿刺痛緩和装置１０の状態を使用者に報知するためのＬＥＤ（Light Emitting Diode）インジケータであり、インジケータ６１０、６２０、６３０及び６４０の各ＬＥＤインジケータから構成される。
【００４４】
インジケータ６１０は、穿刺痛緩和装置１０の後述するメイン基板１５への通電が行われているか否かを表示するインジケータである。
【００４５】
インジケータ６２０は、後述する潜熱蓄熱剤１６が熱飽和状態にあることを報知するインジケータである。尚、この種の報知手段は、この種の点灯手段に限らず、例えば、スピーカを介して音声情報を出力する手段であってもよい。
【００４６】
インジケータ６３０は、穿刺痛緩和装置１０の動作モード告知用の一インジケータであり、穿刺痛緩和装置１０が後述する第１動作モードで動作しているか否かを表示するインジケータである。
【００４７】
インジケータ６４０は穿刺痛緩和装置１０の動作モード告知用の他のインジケータであり、穿刺痛緩和装置１０が後述する第２動作モードで動作しているか否かを表示するインジケータである。
【００４８】
尚、発光部６００の構成は一例であり、穿刺痛緩和装置１０の状態を使用者に報知するための手段は、如何なるものであってもよい。
【００４９】
図１（ｂ）において、穿刺痛緩和装置１０の外郭の一部をなす背面側ケース１１Ｒには、その装置上側において円形の孔が形成されている。この孔からは押圧部１８の一部が露出している。
【００５０】
押圧部１８は、穿刺痛緩和装置１０の使用時において穿刺痛緩和装置１０の使用対象者（例えば、患者）の皮膚と接触する、本発明に係る「冷却部」の一例である。押圧部１８は、例えば、金属材料、熱伝導性セラミック材料又は熱伝導性樹脂材料等、各種熱伝導性材料により構成された、本発明に係る「熱伝導性部材」の一例であり、露出部分が緩やかな球形状となっている。
【００５１】
背面側ケース１１Ｒに形成された孔と押圧部１８の露出部分とは、後述する密閉構造に準拠した気密を保って接合しており、穿刺痛緩和装置１０の内部がこの孔を介して外界と連通しない構成となっている。
【００５２】
尚、これ以降の説明において、正面側ケース１１Ｆと背面側ケース１１Ｒとから構成された、穿刺痛緩和装置１０のケース全体を指し示す場合には、適宜「ケース１１」なる言葉を使用することとする。ケース１１は、本発明に係る「筐体」の一例である。
【００５３】
次に、図２を参照し、穿刺痛緩和装置１０の構成について更に説明する。ここに、図２は、穿刺痛緩和装置１０の模式的な側面断面図である。尚、図２において、図１と重複する箇所には相互に同一の符号を付してその説明を適宜省略することとする。図２は、図１（ａ）におけるＡ−Ａ’線視断面図に相当する。
【００５４】
図２において、穿刺痛緩和装置１０は、ケース１１に各部が収容された構成となっている。ケース１１を構成する正面側ケース１１Ｆと背面側ケース１１Ｒとは、Ｏリング１２を含む各種シール部材を介して圧接されており、穿刺痛緩和装置１０は全体として密閉構造となっている。
【００５５】
本実施例に係る穿刺痛緩和装置１０の密閉構造は、ＪＩＳ規格である「JIS C 0920」の第２特性数字「７」以上の等級を有する防水構造と等価である。尚、ＪＩＳ規格は、本発明に係る「所定規格」の一例である。
【００５６】
尚、このような、ＪＩＳ規格に準じた穿刺痛緩和装置１０の密閉構造（防水構造）は、例えば、時計やカメラ等の精密機器における密閉構造等、公知の各種密閉構造の構築手法を適用することにより実現された一般的な密閉構造であってよく、穿刺痛緩和装置１０は、密閉構造自体には、特別な技術的特徴を有しない。
【００５７】
一方、このような密閉構造は、装置外郭（穿刺痛緩和装置１０では正面側ケース１１Ｆと背面側ケース１１Ｒとからなるケース１１及びそれらに形成された孔から露出する部分等）に、通気口等、装置内部と必然的に連通する部位がある場合には、根本的にその実現が不可能であることは言うまでもない。即ち、穿刺痛緩和装置１０は、装置外郭に装置内部と連通する部位を一切有さぬことによって、この種の密閉構造を実現している。この点は、穿刺痛緩和装置１０が有する特別な技術的特徴である。
【００５８】
また、ケース１１は、例えば、断熱セラミックや断熱樹脂等の各種断熱材料で構成されており、上記密閉構造を有する穿刺痛緩和装置１０は、一種の断熱構造となっている。従って、穿刺痛緩和装置１０において、装置内部で発生し得る熱がケース１１の表面温度に与える影響は極小さいものとなっている。
【００５９】
尚、本発明に係る「断熱構造」は、装置外郭と装置内部との間の熱伝導が完全に遮断されるといった、厳密な意味での断熱構造に限定されない。即ち、穿刺痛緩和装置１０の断熱特性は、ケース１１を構成する断熱材料の断熱特性により左右される相対的な意味での断熱特性である。
【００６０】
穿刺痛緩和装置１０は医療機器であるので、装置表面の温度には、例えばＪＩＳ規格（Ｔ０６０１−１）等に基づいた許容値がある。従って、ケース１１に要求される断熱特性は、好ましくは、この許容値と、予め実験的に、経験的に又は理論的に推定され得る、装置内部で発生し得る熱の量又は装置内部の推定最大温度等とに基づいて、装置表面の温度がこの許容値未満となるように決定される。ケース１１を構成する断熱材料の選定は、望ましくはこの要求される断熱特性に基づいて行われる。
【００６１】
穿刺痛緩和装置１０の内部における、装置下側（図中右側）の空間には、バッテリ２００が収容されている。バッテリ２００は、例えば複数の二次電池セルが複数個直列に配置された直流電源である。バッテリ２００は、ケーブル（符号省略）によりメイン基板１５と電気的に接続されている
また、バッテリ２００の下方（図中右側）には、バッテリ２００に対して充電を行うためのインタフェイスであるコネクタ３００が形成されている。通常、このコネクタ３００は、上述した密閉構造を担保するためのシール部材１３（即ち、シール部材１３もまた、上述した密閉構造を形成する装置外郭の一部である）により外界から隠蔽されている。また、コネクタ３００は、メイン基板１５と電気的に接続されており、メイン基板に形成された不図示の制御回路に対して、コネクタ３００が外部電源に接続されているか否かを表す電気信号を供給することができる。
【００６２】
図１（ａ）に示されたように装置正面側に一部が露出する操作部５００及び発光部６００は、穿刺痛緩和装置１０の内部において、スイッチ基板１４と電気的に接続されている。スイッチ基板１４には、操作部５００が操作された際に操作内容に応じた電気信号を生成する操作信号生成部（不図示）や発光部６００の発光駆動回路（不図示）等が形成されている。スイッチ基板１４は、メイン基板１５と電気的に接続されている。
【００６３】
メイン基板１５は、穿刺痛緩和装置１０の制御部に相当する基板である。メイン基板１５には、操作部５００の操作状態に応じて後述する動作モードに対応した通電制御を実行する、例えばドライバＩＣ及びその制御用プロセッサ等を含む制御回路、操作部５００の操作状態、後述する潜熱蓄熱剤１６の熱飽和状態、上述したバッテリ２００と外部電源との接続状態等に応じて発光部６００の各インジケータを制御する制御回路等が形成されている。
【００６４】
穿刺痛緩和装置１０の内部空間において、装置背面側（図中下側）の装置上側（図中左側）には、ペルチェ素子１００が設置されている。
【００６５】
ペルチェ素子１００は、装置背面側に相当する第１面１００１と装置正面側（図中上側）に相当する第２面１００２とを有する板状の熱伝素子である。第１面１００１は本発明に係る「吸熱面」の一例であり、第２面１００２は本発明に係る「放熱面」の一例である。ペルチェ素子１００は、第１動作モードに対応する通電時に、第１面１００１と第２面１００２とのうち一方の面が吸熱面となり、他方の面が放熱面となる。ペルチェ素子１００は、メイン基板１５と電気的に接続されている。
【００６６】
ペルチェ素子１００の第１面１００１は、押圧部１８と全面的に面接触しており、ペルチェ素子１００の第２面１００２は後述する収容部１７と全面的に面接触している。
【００６７】
収容部１７は、装置正面側に開口した熱伝導性のケースである。収容部１７は、例えば、金属材料、熱伝導性セラミック材料又は熱伝導性樹脂材料等、各種熱伝導性材料により構成された熱伝導性容器である。収容部１７には、潜熱蓄熱剤１６が収容されている。収容部１７は、潜熱蓄熱剤１６が収容された状態で、その開口部が天蓋部１９により閉じられている。
【００６８】
潜熱蓄熱剤１６は、外部から供給される熱を潜熱として蓄積（即ち、蓄熱）することが可能な潜熱蓄熱材料で構成された蓄熱体である。潜熱蓄熱剤１６は、例えば塩化カルシウム水和物、チオ硫酸ナトリウム水和物、硫酸ナトリウム水和物、酢酸ナトリウム水和物等の無機系材料や、例えばパラフィン等の有機系材料を使用することができる。
【００６９】
潜熱蓄熱剤１６は、所定の相変化温度未満の低温領域において固相状態となり、相変化温度より高温の高温領域において液相状態となるが、固相状態から液相状態への相変化過程において、熱エネルギを蓄積することができる。潜熱蓄熱剤１６が熱飽和していない状態（即ち、非熱飽和状態）では、相変化過程が継続し、潜熱蓄熱剤１６の温度は相変化温度に略一定に維持される。潜熱蓄熱剤１６に蓄積限界以上の熱エネルギが与えられると、潜熱蓄熱剤１６は熱飽和状態となり、供給熱に応じて潜熱蓄熱剤１６の温度は上昇する。
【００７０】
収容部１７における、この潜熱蓄熱剤１６の収容空間は、潜熱蓄熱剤１６の底面及び側面が、この収容空間に間隙無く収容される（別言すれば、面接触する）ように、その形状が決定されている。従って、潜熱蓄熱剤１６は、穿刺痛緩和装置１０が長期にわたって使用される過程において、その位置は殆ど変化しない。
【００７１】
ここで、ペルチェ素子１００の第２面１００２と収容部１７の外郭底面部分とは図示する通り面接触しており、収容部１７は、第２面１００２に熱的接触状態を保って配置された状態となっている。一方、潜熱蓄熱剤１６は、収容部１７に収容されてはいるものの、収容部１７が熱伝導性を有することから、外界に対する熱伝導性は担保されている。即ち、ペルチェ素子１００の第２面１００２と潜熱蓄熱剤１６との間の熱伝導は阻害されておらず、潜熱蓄熱剤１６は、本発明に係る「第２の面に熱的接触状態を保って配置された」状態となっている。
【００７２】
また、ペルチェ素子１００の第１面１００１は、熱伝導性を有する押圧部１８と全面的に面接触しており、これらもまた熱的接触状態にある。
【００７３】
温度センサ７００は、対象物の温度を検出可能に構成されたセンサである。温度センサ７００の温度検出用の端子は、潜熱蓄熱剤１６に固定されており、温度センサ７００は潜熱蓄熱剤１６の温度である蓄熱剤温度Ｔを測定することができる。温度センサ７００は、メイン基板１５と電気的に接続されている。
【００７４】
＜実施例の動作＞
次に、本実施例に係る穿刺痛緩和装置１０の動作について説明する。
【００７５】
＜動作モードの詳細＞
穿刺痛緩和装置１０の動作モードには、第１動作モード及び第２動作モードが含まれる。
【００７６】
第１動作モードは、電源ボタン５２０が押下された状態において、吸熱ボタン５１０が押下された際に作動する動作モードである。第１動作モードにおいては、インジケータ６１０及び６３０が発光する。
【００７７】
第２動作モードは、電源ボタン５２０が押下されない状態において、バッテリ２００がコネクタ３００を介して外部電源と接続された場合に作動する動作モードである。第２動作モードにおいては、インジケータ６４０が発光する。
【００７８】
ここで、図３を参照し、第１及び第２動作モードの詳細について説明する。ここに、図３は、穿刺痛緩和装置１０の動作モードの概念図である。図３は、図２におけるペルチェ素子１００周辺を拡大したものに相当する。尚、同図において、図２と重複する箇所には同一の符号を付してその説明を適宜省略することとする。
【００７９】
図３（ａ）は、第１動作モードの概念図である。第１動作モードにおいては、第１面１００１が吸熱面、第２面１００２が放熱面となる通電極性でペルチェ素子１００への通電が行われる。
【００８０】
ここで、穿刺痛緩和装置１０の使用時において、熱伝導性を有する押圧部１８は、使用対象者の使用対象部位に押圧される冷却部として機能する。従って、第１動作モードにおいて、使用対象者の使用対象部位が有する熱は、押圧部１８及び第１面１００１を介してペルチェ素子１００に吸収される。
【００８１】
例えば、穿刺痛緩和装置１０が、患者の皮膚への穿刺針の打ち込みに先立って用いられる場合、この第１動作モードにおけるペルチェ素子１００の吸熱作用によって、患者の皮膚の温度は低下し、穿刺針を皮膚に打ち込む際の穿刺痛が緩和される。尚、皮膚温度を低下させることによって患者が知覚する穿刺痛を緩和させることができることは、既に各種の研究により明らかとなっている。
【００８２】
また、第１動作モードにおいてペルチェ素子１００に吸収された熱は、放熱面となる第２面１００２から放射される。ここで、第２面１００２は、熱伝導性を有する収容部１７に当接しており、また収容部１７の内部空間には潜熱蓄熱剤１６が収容されている。従って、ペルチェ素子１００に吸収された熱は、潜熱蓄熱剤１６に蓄積される。既に述べたように、潜熱蓄熱剤１６の温度である蓄熱剤温度Ｔは、潜熱蓄熱剤１６が熱飽和状態に達するまで変化しない。このため、穿刺痛緩和装置１０は、その通常使用時において発熱することがない。
【００８３】
図４（ｂ）は、第２動作モードの概念図である。第２動作モードにおいては、第１面１００１が放熱面、第２面１００２が吸熱面となる通電極性でペルチェ素子１００への通電が行われる。
【００８４】
ここで、第２面１００２は、熱伝導性を有する収容部１７に当接しており、また収容部１７の内部空間には潜熱蓄熱剤１６が収容されている。従って、第２動作モードにおいては、第１動作モードにおいて潜熱蓄熱剤１６に蓄積された熱が、収容部１７及び第２面１００２を介してペルチェ素子１００に吸収される。
【００８５】
一方、ペルチェ素子１００に吸収された熱は、放熱面となる第１面１００１から放射される。ここで、第１面１００１は熱伝導性を有する押圧部１８に当接しており、第１面１００１から放射された熱は、最終的に押圧部１８を介して外界に放出される。
【００８６】
このように、穿刺痛緩和装置１０では、押圧部１８が本発明に係る冷却部としての機能と、潜熱蓄熱剤１６を熱飽和状態から復活させる言わば放熱部としての機能とを併有しており、また、これらの機能がメイン基板１５上に形成された制御部により選択的に実行される構成となっている。但し、ここで説明した、これら動作モードの内容及び作動条件は一例である。
【００８７】
尚、本実施例では詳細を説明しないが、温度センサ７００により検出される蓄熱剤温度Ｔが所定値（例えば、上述した相変化温度）以上の高温領域に達すると、潜熱蓄熱剤１６が熱飽和状態にある旨が、インジケータ６２０の発光により報知される。例えば、穿刺痛緩和装置１０の使用者は、このインジケータ６２０の発光を認知した場合に、機器の使用を停止し、コネクタ３００を介してバッテリ３００と外部電源とを接続することができる。バッテリ３００と外部電源とが接続された場合には、上述したように第２動作モードが作動するため、潜熱蓄熱剤１６は、穿刺痛緩和装置１０の非使用時に蓄積した熱を放出することができる。
【００８８】
＜実施例の効果＞
穿刺痛緩和装置１０は、以下の通り、本発明に係る穿刺痛緩和装置に特有の実践上有益なる効果を有する。
【００８９】
＜吸放熱性能維持効果＞
穿刺痛緩和装置１０は、ペルチェ素子１００の第２面１００２と潜熱蓄熱剤１６との間に熱伝導性の収容部１７を備える。即ち、潜熱蓄熱剤１６が、この収容部１７に収容されている。この収容部１７の内部空間は、潜熱蓄熱剤１６の体格及び形状に適合するように形成されており、潜熱蓄熱剤１６は、ペルチェ素子１００の第２面１００２との間の熱伝導を阻害することなく、装置の実使用過程における振動や衝撃から守られている。従って、穿刺痛緩和装置１０では、潜熱蓄熱剤１６とペルチェ素子１００との三次元的な位置関係が経時的に変化しない。このため、穿刺痛緩和装置１０は、その吸熱及び放熱特性（例えば、ペルチェ素子１００の単位面積当たりの吸放熱量）が、経時的に変化しない。即ち、穿刺痛緩和装置１０は、時間経過に対して、その吸放熱性能を可及的に維持することができる。
【００９０】
＜トラブル防止効果＞
上述したように、穿刺痛緩和装置１０では、電源ボタン５２０が押下された状態において吸熱ボタン５１０が押下された場合に第１動作モードが作動する。また、バッテリ２００が外部電源と接続された状態において電源ボタン５２０が押下されていない場合、即ち、バッテリ２００の充電時に、第２動作モードが作動する。即ち、穿刺痛緩和装置１０では、ペルチェ素子１００に対する通電極性を切り替えることにより押圧部１８を吸熱面としても放熱面としても使用することができる点に着眼し、吸熱と放熱とが同時に行われない構成となっている。
【００９１】
例えば、放熱板やヒートシンク等といった、放熱の進捗状況をコントロールできない放熱用部材を利用して潜熱蓄熱剤１６のリセットを実現しようとした場合、押圧部１８を介した吸熱と、放熱用部材を介した放熱とが同時進行することになる。両者が同時に進行すると、例えば患者が放熱用部材に誤って接触するといった事態を招き得る。この点、穿刺痛緩和装置１０では、潜熱蓄熱剤１６に蓄積された熱が自由に放熱されることはなく、あくまで第２動作モードの実行時に限って放熱される。即ち、押圧部１８は、押圧部１８を吸熱部材として使用するか、放熱部材として使用するかに関する使用者の明確な意思の下に、一方の機能部材として機能する。従って、このような事態を招くことがない。
【００９２】
また、穿刺痛緩和装置１０において、第２動作モードに対応する操作ボタンが設けられていても全く問題はないが、充電時に限って第２動作モードが実行されるように装置を構成することによって、このような事態が一層強固に防がれる。即ち、一般的に、充電に使用する外部電源の場所は、装置の使用場所とは異なることが多い。必然的に、第２動作モードは、近隣に人体が、少なくとも使用対象者が存在しない場所で粛々と進行する。従って、より安全である。また、そのように装置の使用ルールを定めておくことも容易にして可能である。
【００９３】
＜装置内外の温度上昇防止効果＞
穿刺痛緩和装置１０は、第１動作モードにおける、ペルチェ素子１００の第１面１００１の吸熱作用により使用対象者の使用対象部位を冷却することができる。この際、この吸収された熱は装置内部においてペルチェ素子１００の第２面１００２から放出されるが、穿刺痛緩和装置１０では、この放出熱を潜熱蓄熱剤１６に蓄熱しておくことができる。潜熱蓄熱剤１６は、その蓄熱容量が満たされるまで（即ち、熱飽和するまで）の相応の期間において温度上昇を生じない。即ち、穿刺痛緩和装置１０は、実質的に、その使用過程において装置内部に熱源を有さない。従って、その外郭温度（主として、ケース１１の温度）が、その使用環境の温度（例えば、室内温度）と殆ど等しく維持される。医療機器の温度には、例えばＪＩＳ規格（Ｔ０６０１−１）等に基づいた制限が存在するが、装置内部に熱源を有さない穿刺痛緩和装置１０においては、その遵守が容易である。
【００９４】
また、穿刺痛緩和装置１０においても、潜熱蓄熱剤１６が熱飽和状態に陥った場合には、装置の使用過程において潜熱蓄熱剤１６の温度は徐々に上昇する。しかしながら、穿刺痛緩和装置１０は、温度センサ７００により、潜熱蓄熱剤１６の熱飽和を検出し、インジケータ６２０の作用により、検出された熱飽和を使用者に速やかに報知することができる。このため、蓄熱剤温度Ｔが過剰に上昇する前に然るべき対策（即ち、本実施例では、電源ボタン５２０を押下せずにバッテリ２００を外部電源と接続する動作）を講じることが容易にして可能である。
【００９５】
更に、穿刺痛緩和装置１０の外郭を規定するケース１１（正面側ケース１１Ｆ及び裏面側ケース１１Ｒ）は、断熱材料で構成されており、穿刺痛緩和装置１０は全体として断熱構造となっている。従って、穿刺痛緩和装置１０において、装置内部の温度は装置表面に伝導し難くなっており、潜熱蓄熱剤１６が熱飽和状態に移行してから暫時の期間について装置の使用が継続されたとしても（医療行為の現場では珍しくない状況である）、装置の表面温度の上昇は防がれる。即ち、穿刺痛緩和装置１０は、その温度上昇防止効果により、高い実用性を備えている。
【００９６】
＜滅菌消毒の容易性担保効果＞
穿刺痛緩和装置１０は、ペルチェ素子１００が有する、吸熱面と放熱面との切り替え機能を利用して、押圧部１８を吸熱部材としても放熱部材としても使用することができる。即ち、穿刺痛緩和装置１０の通常使用時においては、第１動作モードにより押圧部１８を吸熱部材として使用することによって、使用対象者の使用対象部位を冷却し、もって使用対象者における穿刺痛を緩和することができる。また、潜熱蓄熱剤１６が熱飽和状態に陥った場合等には、第２動作モードにより押圧部１８を放熱部材として使用することによって、潜熱蓄熱剤１６が潜熱として蓄積する熱を外界に放出し、潜熱蓄熱剤１６の蓄熱量を減少せしめ、理想的には蓄熱量をゼロとする（即ち、リセットする）ことができる。即ち、穿刺痛緩和装置１０においては、外界との間で熱のやり取りを行う箇所が、押圧部１８のみに限定されている。これは、医療機器として大きな意義を持つ。
【００９７】
即ち、実践的運用面において、医療機器は、滅菌及び消毒を必要とする。また、衛生的であることが求められる。
【００９８】
滅菌及び消毒の方法は各種存在するが、いずれにせよ、装置外郭と装置内部との連通が遮断されていることが必要となる。また、衛生面においても、装置外郭と装置内部との連通は遮断されている必要がある。装置外郭が装置内部と連通していると、患者の体液等が装置内部に侵入或いは浸潤して非衛生的だからである。従って、医療機器として要求される滅菌及び消毒の容易性及び衛生機能は、装置外郭に通気口の類が形成されている段階で消失する。
【００９９】
ここで、例えば、押圧部１８を吸熱面及び放熱面として使用する技術思想を有さぬ場合、潜熱蓄熱剤１６が蓄積する熱を外界に放出するための一の方法として、冷却ファンを使用する方法が考えられる。しかしながら、冷却ファンの動作には、吸気口と排気口が必要であり、上述した滅菌及び消毒の容易性は消失し衛生的でもない。また、装置表面の温度が装置の実使用環境において規定値を超える可能性を排除することができない。即ち、医療機器として遵守すべき事項を遵守することが極めて困難である。
【０１００】
これに対して、穿刺痛緩和装置１０によれば、熱のやり取りは、押圧部１８を介してのみ行われるため、装置全体を密閉構造とすることができ、滅菌及び消毒が容易である。また、密閉構造であるが故、衛生面においても極めて良好である。更に、穿刺痛緩和装置１０では、吸熱／放熱に関する制御性が担保されている。従って、装置外郭（装置表面）の温度が、装置の実使用環境において規定に抵触しない。即ち、穿刺痛緩和装置１０では、医療機器として遵守すべき事項が極めて良好にクリアされるのである。
【０１０１】
尚、穿刺痛緩和装置１０では、ペルチェ素子１００の第１面１００１が押圧部１８に覆われており、外界に露出していない。このような構成は、衛生面においてより望ましい。しかしながらその一方で、本発明に係る医療機器の概念と穿刺痛緩和装置１０との対比の上では、穿刺痛緩和装置１０は、必ずしも押圧部１８を有さずともよい。即ち、ペルチェ素子１００の第１面１００１は外界に露出していてもよい。この場合でも、装置全体として密閉構造を実現することには何の問題もない。
【０１０２】
＜カバー取り付け効果＞
穿刺痛緩和装置１０は、医療機器であるから、その実践的運用面において衛生への配慮が必要であることは既に述べた。また、これに対し、穿刺痛緩和装置１０がその密閉構造が故に消毒滅菌が容易であることについても既に述べた。
【０１０３】
ここで、穿刺痛緩和装置１０は、その密閉構造故に、上述した消毒滅菌作業とは異なる衛生面への配慮が可能である。即ち、穿刺痛緩和装置１０は、押圧部１８、即ち冷却部を覆うディスポーザブルカバーの取り付けが可能である。
【０１０４】
ディスポーザブルカバーとは、使い捨てのカバーを意味し、その材質、形状及び取り付け方法において特別の規定を有するものではないが、使い捨てである以上、必然的に安価且つ単純な構成を有する。即ち、ディスポーザブルカバーは、好適な一形態として、一端が開口した袋状のカバーや、帯状のカバーである。
【０１０５】
ここで、図４を参照し、このようなカバー取り付け効果について説明する。ここに、図４は、カバー取り付け時における穿刺痛緩和装置１０の模式的な側面断面図である。尚、同図において図２と重複する箇所には同一の符号を付してその説明を適宜省略することとする。
【０１０６】
図４において、ディスポーザブルカバーＤＣ１は、開口部を有する袋状のカバーであり、装置上面側（図中左側）からケース１１に被せることによって穿刺痛緩和装置１０に装着される単純な構造のカバーである。ディスポーザブルカバーＤＣ１は、装置に装着された状態において、冷却部としての押圧部１８と、ケース１１において押圧部１８を包む部分に相当する冷却部相当部１１Ｃを覆う構成となっている。
【０１０７】
このため、カバー装着時における穿刺痛緩和装置１０では、使用対象者の使用対象部位を冷却する冷却部（本実施例では、押圧部１８）が、使用対象部位と直接接触することがない。従って、冷却部や冷却部相当部１１Ｃに対して直接消毒滅菌作業を施す必要がない。一方で、このディスポーザブルカバーＤＣ１は、冷却部相当部１１Ｃに被せるだけで装着することができるため、安価であると共に交換が容易であり、例えば多数の患者に連続して穿刺痛緩和装置１０を使用する状況等において、高い作業効率を提供する。
【０１０８】
ここで、比較のために、ペルチェ素子を冷却ファン等の冷却手段により冷却する構成を考える。冷却ファンによりペルチェ素子を冷却する場合、吸熱面と放熱面とが表裏一体であるペルチェ素子の性質上、冷却ファンの吸気口及び排気口は、必然的に冷却対象となるペルチェ素子の放熱面付近に形成されることになる。即ち、図４で言えば、この通気口は、冷却部相当部１１Ｃに形成されることになる。
【０１０９】
一方、この種の通気口は、装置の正常使用時においてカバーにより外界から遮蔽されることが許されない。従って、冷却ファンによるペルチェ素子を冷却する構成においては、冷却部を覆いつつ、冷却部相当部１１Ｃを覆わないカバーが必要となる。一般的見地から言って、このようなカバーは、形状が複雑となり、カバーの固定方法も複雑となり、脱着が容易でない。必然的に、カバーとしてディスポーザブルカバーを使用することは困難となる。即ち、冷却ファンによりペルチェ素子を冷却する装置は、ディスポーザブルカバーの取り付けが可能であるとは言えない。即ち、穿刺痛緩和装置１０では、通気口の類がケース１１に一切形成されない機器構成上の特徴が、更にディスポーザブルカバーの取り付けを可能とする旨の実践上有益なる利益を生み出しているのである。
【０１１０】
また、穿刺痛緩和装置１０では、冷却部である押圧部１８が第２動作モードにおいて放熱部としても機能するため、装置の使用時（即ち、第１動作モードの実行時）に放熱が行われることがない。このため、放熱板やヒートシンクのように、潜熱蓄熱剤１６の蓄積熱を外界に絶えず放出する場合と較べて、ケース１１の温度分布に偏りがない。また、ケース１１が断熱構造となっているため、実質的には、ケース１１の温度は外気温と殆ど同等である。従って、ディスポーザブルカバーの構成を一層簡素化することが可能である。但し、本発明に係る医療機器は、放熱板やヒートシンク等の放熱用機器を有していてもよい。これらは装置を密閉構造とすることの支障とはならないからである。
【０１１１】
穿刺痛緩和装置１０には、ディスポーザブルカバーＤＣ１を取り付け可能である利点を生かし、更にディスポーザブルカバーＤＣ１の取り付けを支援する工夫がなされている。
【０１１２】
図４において、穿刺痛緩和装置１０のケース１１は、冷却部相当部１１Ｃに加えて、使用者が把持するための把持部１１Ｈを備える。
【０１１３】
ここで、図１において正面側ケース１１Ｆ及び背面側ケース１１Ｒが夫々その側面の一部においてキャビティ部分を有することからも分かるように、装置上面側（図中左側）から見た冷却部相当部１１Ｃの断面積は、把持部１１Ｈの断面積よりも大きくなっている。即ち、冷却部相当部１１Ｃは、把持部１１Ｈと較べて太い構造となっている。従って、図４において、冷却部相当部１１Ｃと把持部１１Ｈとの境界付近は緩やかに傾斜しており、キャビティ部１１ＣＶが形成される。
【０１１４】
ディスポーザブルカバーＤＣ１の開口部には、カバーの非使用時においてこの開口部を緩やかに閉じるゴム状の係止部材Ｇが設けられている。係止部材Ｇは、冷却部相当部１１Ｃが覆われた状態において、その弾性力により、ディスポーザブルカバーＤＣ１の開口部を装置の内部方向に付勢する。
【０１１５】
ここで特に、この係止部材Ｇが上記キャビティ部１１ＣＶの位置となるようにディスポーザブルカバーＤＣを取り付けると、装置内部方向への係止部材Ｇの付勢力が、カバー取り外し方向（図中左方向）へのディスポーザブルカバーＤＣ１の動きに対して一種の抵抗力となる。このため、ディスポーザブルカバーＤＣ１は、装置の使用時において使用者の意図しない時期に外れることがない。即ち、キャビティ部１１ＣＶにより、ディスポーザブルカバーＤＣ１の取り付けは一層容易となっており、穿刺痛緩和装置１０は一層高い操作性を有している。
【０１１６】
＜２．第２実施例＞
ディスポーザブルカバーの取り付けを容易とする旨の工夫は、第１実施例に係るキャビティ部１１ＣＶの形成に限定されない。ここで、図５を参照し、穿刺痛緩和装置１０のカバー取り付け効果の他の態様について説明する。ここに、図５は、カバー取り付け時における穿刺痛緩和装置１０の模式的な側面断面図である。尚、同図において図４と重複する箇所には同一の符号を付してその説明を適宜省略することとする。
【０１１７】
図５において、ディスポーザブルカバーＤＣ２は、第１実施例に係るディスポーザブルカバーＤＣ１と異なり、帯状のカバーである。即ち、ディスポーザブルカバーＤＣ２は、装置上面（図示左端部分）を覆わず、上述した冷却部相当部１１Ｃ（符号省略）に巻回される。
【０１１８】
一方、このようにケース１１に巻回される構成では、袋状のカバーよりもカバーの固定が難しくなり易い。そこで、穿刺痛緩和装置１０では、固定用治具２０が設けられている。固定用治具２０は、支点部２１と回動部２２とを有する。固定用治具２０は、正面側ケース１１Ｆに設けられている。即ち、本発明に係る「前記筐体における、前記冷却部と反対側の面に設けられる」構成が実現されている。
【０１１９】
支点部２１は、正面側ケース１１Ｆに固定された部分であり、回動部２２の一端部を回動可能に固定する。回動部２２は、一端部が支点部２１に固定され、図示両矢線方向に回動可能に構成される。支点部２１と回動部２２との間には、図示せぬ弾性付勢部材（例えば、バネ様部材）が介装されており、回動部２２は、この弾性付勢部材の弾性力により、初期状態では正面側ケース１１Ｆに張り付いている。一方、この回動部２２を図中上方に持ち上げて、回動部２２と正面側ケース１１Ｆとの間に間隙を形成することによって、この間隙にディスポーザブルカバーＤＣ２を挟みこむことができる。ディスポーザブルカバーＤＣ２が挟み込まれた状態において、上述のように回動部２２が弾性付勢部材の弾性力を受けると、回動部２２によりディスポーザブルカバーＤＣ２が正面側ケース１１Ｆに挟み込まれる形で固定される。図５にはこの様子が示されている。
【０１２０】
このように、固定用治具２０の如き固定用治具が設けられることによって、ディスポーザブルカバーＤＣ２の構成上の自由度は増し、より柔軟に冷却部相当部１１Ｃを被覆することが可能となる。尚、図５では、ディスポーザブルカバーＤＣ２は帯状のカバーであるとしたが、固定用治具２０は、第１実施例に係るディスポーザブルカバーＤＣ１のような袋状のカバーを固定することも可能である。
【０１２１】
また、固定用治具２０を冷却部と反対側の面となる正面側ケース１１Ｆに設けることによって、固定用治具２０が使用対象者の使用対象部位に接触する可能性は低くなり、装置の衛生が保たれる。
【０１２２】
本発明は、上述した実施例に限られるものではなく、請求の範囲及び明細書全体から読み取れる発明の要旨或いは思想に反しない範囲で適宜変更可能であり、そのような変更を伴う医療機器もまた本発明の技術的範囲に含まれるものである。
【符号の説明】
【０１２３】
１０…穿刺痛緩和装置、１６…潜熱蓄熱剤、１８…押圧部、２０…固定用治具、１００…ペルチェ素子、２００…バッテリ、３００…コネクタ、５００…操作部、５１０…吸熱ボタン、５２０…電源ボタン、６００…発光部、６１０、６２０、６３０．６４０…インジケータ、７００…温度センサ、１００１…第１面（ペルチェ素子）、１００２…第２面（ペルチェ素子）。
【図１】
2015142606.tif 000003
【図３】
2015142606.tif 000004
【図２】
2015142606.tif 000005
【図４】
2015142606.tif 000006
【図５】
2015142606.tif 000007